(57)【要約】      （修正有）【課題】ペットボトル等の液体容器から茶、コーヒーなどを飲む場合、内容量の多少によっては容器をかなり傾斜させる場合があり、このときの顔は上方を向き、視点は定まらなくなって、作業の種類によっては作業中に飲むことが困難であること又他の容器へ注ぐとき、中の液体が飛び出して周囲を汚したりすることのない液体容器を提供する。【解決手段】一般的な市販の小型液体容器において、上部に設けてある開口部を、開口部近くの液体容器本体の一部と倶に任意な方向に傾斜固定する。一方、液体容器本体の外周面部分に、開口部の傾斜方向を認識するための凹凸を設ける。液体容器を握ったとき、握った手の指にて該凹凸の位置を確認すれば開口部の傾斜方向を見なくても開口部の傾斜方向が判るように、凹凸の位置と開口部の傾斜方向に一定の関連性をもたせる。【選択図】図１
0003117025.tif 000002
【実用新案登録請求の範囲】
【請求項１】
円筒直立形の液体容器本体の上部に中心線を同じくして、液体容器本体の径より小径の開口部を設け、該開口部をスクリュウ・キャップによって開閉する構造の液体容器において、
液体容器本体の上部に設けた開口部を、開口部に近接する液体容器本体の一部と倶に任意の一定角度に傾斜させて固定し、液体容器本体の外周面に凹凸を設けることを特徴とする開口部が傾斜した液体容器。
【考案の詳細な説明】
【技術分野】
【０００１】  本考案は、現在大量に販売され使用されている液体容器の開口部を傾斜させ、コーヒー、ジュース、茶等を飲む使用形態（以下、Ａ使用形態とする。）においては飲み易さを。醤油、油、等を他の容器へ注ぐ使用形態（以下、Ｂ使用形態とする。）においては注ぎ易さを考究した液体容器に関するものである。
【背景技術】
【０００２】  従来、液体容器には、Ａ使用形態のもの、Ｂ使用形態のものなど、その使用目的別によって形状・材質に多種類のものが出回っている。手軽に購入でき、多量に消費されているペットボトルをその代表的なものとして液体容器の形状をみるに、自動販売機等の収納装置に収納する際の省スペース化、又店頭に陳列する際の効率的な配置等を考え併せた円筒直立形がほとんどである。飲み口或いは注ぎ口となる開口部は、飲み易く又注ぎ易くするために口径の大きさを変更したり、変形したりしているが、開口部は液体容器本体の中心線に沿って直上方向に突き出した構造となっているため、液体容器内の液体を飲む場合、内容残量が少なくなるに従って液体容器の傾斜角度を段々と大きくすることになる。このためＡ使用形態で全量を飲み干したり、Ｂ使用形態において注ぎ終わるためには、液体容器本体の長短等によっては倒立に近い傾斜としなければならないものもある。しかし他方開口部を傾斜させて液体を飲むとき又は注ぐときに、液体の流出がスムーズになるような構造としてこの課題の解消を実現させようとする実用新案登録がすでに散見できる。（実用新案登録第３１０７２８８号、実用新案登録第３０５６８６０号）
【考案の開示】
【考案が解決しようとする課題】
【０００３】▲１▼Ａ使用形態のとき、液体容器を傾けるが残量が少なくなるに従って傾きを大きくし、果ては液体容器を倒立に近い傾斜にしなければならない。この場合、成人においても不自然な格好となって窮屈な飲み方になるが、幼児においては楽に飲むことが不可能に近く、中身をこぼしたり着衣や付近のものを汚したりする欠点がある。【０００４】▲２▼更に、Ｂ使用形態の際も開口部のキャップ等を外して目的の容器に、−例えば醤油を小さな皿に−注ぐとき鉛直に立っている液体容器の中に液体が満量入っている場合、注ぎ口を傾け小さな皿に注ぐ位置に近づく迄にすでに醤油は注ぎ口から出始める。この醤油を皿以外の場所に一滴もこぼさずに注ぎ終えることは、困難であることも欠点である。【０００５】▲３▼開口部を傾ける方向を決定する方法は、前記の実用新案登録（実用新案登録第３１０７２８８号、実用新案登録第３０５６８６０号）においても記載がなく決め手がない。
本考案においては、Ａ使用形態で液体容器を握ったときすでに、開口部を傾ける方向が決まるような液体容器にの構造を考案するものである。【０００６】上記▲１▼、▲２▼に記述したごとく液体容器が円筒直立形であるため開口部はＡ使用形態又Ｂ使用形態のいずれにおいても使用性の悪い形状であった。上記▲１▼、▲２▼に共通している欠点は、開口部が液体容器の中心線に沿って、一直線に先端に向かって突き出していることに起因する。本考案は、鉛直に立っている液体容器の上部に設けてある開口部に傾きを持せることによって、Ａ使用形態において茶、ジュース、コーヒーなどを飲みやすく、又Ｂ使用形態においても醤油、油などを注ぎ易くし、更にＡ使用形態において、液体容器を握ったときすでに、開口部を傾ける方向が決定され固定する方法を採用して、使用効率の高い液体容器を提供することを課題とするものである。
【課題を解決するための手段】
【０００７】  上記の課題を解決するため、円筒直立形の液体容器本体の上部に液体容器本体より小径の円筒及びその先端に開口部を備え、該開口部に設けた着脱可能なスクリュウ・キャップにより開口部を開閉する構造の液体容器において、開口部と、開口部に近い液体容器本体の一部を傾斜する構造とし、液体容器本体の外周面に、傾斜する方向を決めるために液体容器本体を握る手の親指の位置を定める目印的な役割の凹凸を設ける。
【考案の効果】
【０００８】以上述べた本考案の液体容器については次の如き効果がある。
１．液体容器がＡ使用形態のとき、開口部はあらかじめ飲み易い位置に傾斜しているため、少ない傾斜で全部の液体を飲むことができる。従って液体を最後まで飲もうとする場合であっても、液体容器を倒立に近い傾斜にする必要はなく、ゆるやか傾斜でよい。
２．Ａ使用形態において、液体容器本体の外周面の適宜な位置に目印的役割の凹凸を設けて、液体容器本体を握る手の親指にて凹凸の位置確認をすれば、開口部は自然に飲み易い位置方向に傾斜していることになる。
３．液体が通過する状況を確認するため、Ａ使用形態時においても、Ｂ使用形態時においても目視出来るように、開口部の材質を透明或いは半透明のものを使用し、内部の液体の流量や速度などの状況が判定できるので、液体容器の傾斜角度の調整ができ、急激に液体が飛び出したりするような失敗を未然に防止できる。
【考案を実施するための最良の形態】
【０００９】  一般的な従来の液体容器は液体容器本体を握って開口部から茶、ジュース、コーヒーなどを飲む場合、開口部が液体容器本体と一直線上にあるためその液体容器本体の傾斜角度は開口部の傾斜角度と同じとなり、かなり大きく傾斜させないと飲むことができない。この傾斜角度を緩和させるために本考案の液体容器は開口部と、開口部に近い液体容器本体の一部分を倶に傾斜させるものである。
開口部の傾斜する方向は、任意の方向であるが液体容器本体を握ったとき、開口部を見ずにその傾斜方向が認識出来るような考案が、液体容器本体の外周面に設けた凹凸である。液体容器本体を握った手の親指でこの凹凸の位置を確認すれば、開口部の傾斜方向が認識出来るように、事前に開口部の傾斜方向と凹凸の位置関係を定めておくことが必要となる。
【実施例】
【００１０】以下、添付図面に従って実施例を説明する。
図１は本考案の液体容器の実施側面図を示す。液体容器本体（１）の中心線（４）に対してα度の傾斜角度を持った中心線（５）に沿う開口部（２）を設ける。傾斜角度αは任意であるが、次項の条件を満足することが必要である。【００１１】  開口部（２）の傾斜を大きくしていくとスクリュウ・キャップ（６）の先端（７）の位置は、図１においては左側に傾斜し、スクリュウ・キャップ（６）を回転して開口部（２）を閉じた場合、スクリュウ・キャップ（６）の先端（７）の位置は、先端（７’）の位置まで移動する。この先端（７’）の位置が、液体容器本体（１）の外周面接線（８）を上方に延長した線上に重なったときを、中心線（４）に対してα度の傾斜角度は最大とする。先端（７’）の位置は、外周面接線（８）の内側「図１において外周面接線（８）の右側」に納まらなければならない。自動販売機に収納、及び店頭に陳列するとき、液体容器本体１の外周面延長線（８）で囲まれた円周内から外に飛び出すと、整列して隣り合っている液体容器どうしがぶつかりあって、スムースに納めることができないと共に、保管の際の安定に支障がでる。【００１２】  各図に表示してある凹凸（３、３’）は、ジュース、茶、コーヒーなどを飲むために液体容器本体（１）を握るとき、親指の腹（指紋部）にて握る位置を確認するためのものである。凹凸（３、３’）の位置を確認することによって握る位置が決まり、そのときの開口部（２）傾斜方向は特定の方向を向くように、凹凸（３、３’）の位置と事前に関連付けておけば、飲み易い位置に開口部（２）がくることになる。
※本考案の実施例においては、凹凸（３、３’）はくぼみ形の一形態のみを表示した。【００１３】  本考案の液体容器は飲用に使用しても注ぎ用に使用するにしても、開口部（２）から流出する液体の流量及び早さなどの状況を目視することによって、液体容器の傾斜角度を手で加減することができるように開口部（２）を透明或いは半透明の材質を使用して、内部の確認が容易となるようにする。
【図面の簡単な説明】
【００１４】
【図１】  本考案の側面図
【図２】  本考案の正面図
【図３】  本考案の斜視図
【図４】  本考案の全体図
【符号の説明】
【００１５】  １    液体容器本体
２    開口部
３    凹凸
３’  凹凸
４    液体容器本体の中心線
５    符号４にα°の傾斜を持つ中心線
６    スクリュウ・キャップ
７    スクリュウ・キャップの肩
７’  開口部を閉じたときのスクリュウ・キャップの肩が移動した位置
８    液体容器本体１の外周面接線
【図１】
0003117025.tif 000003
【図２】
0003117025.tif 000004
【図３】
0003117025.tif 000005
【図４】
0003117025.tif 000006